(57)【要約】【課題】  この発明は、外出時の飲食や休憩室、トイレ等で手荷物の置き場がない時、どのような形状でも少しの出っ張りや角があれば携帯用なので身近なところに吊り下げられ、汚れ、損傷、盗難防止に役立ち、又横向きで補助フックを使用すれば、手提げ用取手となり、重い荷物でも長時間持て、ストラップを取付れば肩に掛けられるという、手荷物簡易吊り具を提供する。【解決手段】  テーブルや机などの天板の側部を挟み込む形状よりなる吊りフレームと、吊りフレーム上端部の下面に設けられた、滑り防止突起物と吊りフレームの下のフレーム先端に水平方向回転及び先端を中心として上下に回動する回動機構と、回動機構を介して設けられた引掛けフックによりなり、吊りフレーム両端外側に補助フックを設け、手提げ用取手、及びストラップを使用すれば肩掛け用となることを特徴とする手荷物簡易吊り具。【選択図】  図１
2004245421.tif 000002
【特許請求の範囲】
【請求項１】
テーブルや机などの天板の側部を挟み込む形状よりなる吊りフレームと、吊りフレーム上端部の下面に設けられた滑り防止突起物と、吊りフレームの下のフレーム先端に水平方向回転及び先端を中心として上下に回動する回動機構と、回動機構を介して設けられた引掛けフックよりなる手荷物簡易吊り具。
【請求項２】
引掛けフックを吊りフレーム内部に位置した際に該引掛けフックを固定する固定機構を設けたことを特徴とする請求項１記載の手荷物簡易吊り具。
【請求項３】
吊りフレーム両端の外側に突出した形状よりなり手掛けとして使用した際に任意の手提げ部を引掛ける補助フックを設けたことを特徴とする請求項１または２記載の手荷物簡易吊り具。
【発明の詳細な説明】
【技術分野】
【０００１】  本発明は飲食店や、休憩室、待合室、会議室等の机の下側、又その各トイレ等に於いて手荷物を置く棚がないところが多く、混雑している時、盗難に遭わないよう自分の手元に置きたい場合、容易にテーブルの側部に取付出来、ストラップを付ければ肩に掛けることが出来るという手荷物簡易吊り具に関するものである。
【背景技術】
【０００２】  従来、飲食店や休憩室、待合室等の机の下側、或いは各トイレには、手荷物を置く棚が付いていましたが、近年お客の手荷物の置き忘れが多くその防止策として棚付きの机、又トイレの中の棚が大変少なくなっており、手荷物を置く場所がなくなっている。従って、膝の上に置くか、自分が腰掛けた椅子のお尻の後ろに置くか床に直接置いたり、又トイレの中では手で抱えて対処している。床に置けば汚れや傷が付くし、別の椅子に置けば置き忘れや盗難に遭い易くなり大切なものがこのときばかりは邪魔になってしまうのが現状である。又、従来のフックは利用目的が吊り下げや引掛けるのみの道具として開発されてきたが、引掛け場所の形状や手荷物の重心の位置によって制限されるため、何処でも使用可能というフックではない。従って、携帯用としては利用価値が少ない。
【発明の開示】
【発明が解決しようとする課題】
【０００３】  そのために次のような問題があった。
（イ）飲食店や待合室、会議室等の机の下側に手荷物を置く棚が付いている机が少なくなった。
（ロ）混雑していると空席がないので手荷物を置く場所がない。
（ハ）置く場所がないと床に直接置くため汚れや損傷が付く。
（ニ）自分の膝に置くため落下を絶えず注意していなければならない。
（ホ）自分の腰掛けた椅子のお尻の後ろに置くため、置き忘れや盗難に遭い易い。
（ヘ）トイレに入っても手荷物置き場がない。
（ト）吊り下げ場所の形状や荷物によって使用制限さている。
（チ）買い物の時、ビニール袋、或いは取手が紐になっている場合、長時間持っていると指が切断されてしまうような不快感を感じる。
（リ）手に持って移動すると危険が大である。
（ヌ）吊り下げや、引掛けるのみで他の利用方法が少ないので、携帯用であっても使用制限されてしまう。
本発明は、これらの問題点を解決するためになされたものである。
【課題を解決するための手段】
【０００４】  今、その構成を説明すると、
吊りフレーム１の上側先端部適位置に、滑りが生じない角度で下向に支持軸２を設け滑り止め３を取付ける。そして吊りフレーム１の下側先端部適位置に引掛フック４の上部先端に設けている荷重受座５が、水平回転１０、上下回転９が可能な荷重受穴６を設け先端から引掛フック４の荷受座５が入るように二股にし、更にその二股に案内溝７を荷重受穴６まで設け、荷重受穴６へ導入する。案内溝７は荷重受座５が滑落しないよう滑落防止段８を設ける。引掛フック４の上部先端に設けてある荷重受座５は引掛フック４に吊り下げられた荷重全てをこの荷重受座５で受け止められている。又、引掛フック４は使用しないとき、吊りフレーム１に設けられた引掛フック収納穴１３に上下回転９させ引掛フック４を収納します。吊りフレーム１の上側、下側先端部適位置に補助フック１５をそれぞれ設け横向きに使用すれば手提げ用取手となる。金具１４はストラップ１６取付用である。
本発明は以上の構成よりなる手荷物簡易吊り具である。
【発明の効果】
【０００５】  本発明を使用することによって、外出時に手荷物１２の置き場がない場合、少しの出っ張り１１があれば、コンパクトで軽量な携帯用なのでハンドバッグや衣服のポケットから取り出して、何時、何処でも手荷物１２を引掛フック４に吊り下げられ、更にフレーム１を横使いにし、補助フック１５を使用すれば手提げ用取手となり、指が切れそうな不快感はなく保護し、少々重い物でも時間持つことが出来る。
又、金具１４にストラップ１６を取付ければ肩に掛けることが出来、両手が自由になり、転倒しても手で防御出来るので大怪我の防止にもなる。手荷物１２は身近に置けるので盗難や、汚れ、損傷防止にもなり安心して休憩できる。従って、安全でありリラックス効果があり、肉体的、精神的に大変良い。
【発明を実施するための最良の形態】
【０００６】  以下本発明の構成を説明する。
（イ）ほぼコの字形状をした吊りフレーム１は成型体とし、上側先端部適位置に滑りが生じない角度で下向に支持軸２を設け、吸盤或いは軟体性の滑り止め３を取付ける。この支持軸２は吊りフレーム１に吊り下げられた全ての荷重を、やじろべーの原理で支えているので、力のバランスがとれており滑り落ちることはない。
（ロ）吊りフレーム１の下側先端部適位置に、水平回転１０、上下回転９が出来る荷重受穴６を吊りフレーム１に横貫通させる。更に、先端から荷重受座５、引掛フック４が導入出来るように二股にし、案内溝７を設ける。滑落防止段８をつけて荷重受座５が滑り抜けないようにする。
（ハ）ほぼしの字の形状をした成型体の引掛フック４は上部先端に球体を割った形状で、割られた平面側を下向にした荷重受座５によって受け止められる。
（ニ）引掛フック４に吊り下げられた荷重全て、この荷重受座５によって受け止められる。
（ホ）引掛フック４を使用しない時は、上下回転９の上回転させ引掛フック収納穴１３へ折りたたんで収納する。
（ヘ）吊りフレーム１の上側、下側先端部適位置に外向きで補助フック１５をそれぞれ設ける。
（ト）吊りフレーム１に金具１４が適位置に２ヶ所取付けてあるので肩掛け用ストラップを取付ることができる。
本発明は以上のような構成でこれを使用する時は、
（１）吊りフレーム１を使用例、図６、図７、のように横使いにし両端の補助フック１５に手荷物１２を引掛ければ手提げ用取手となり、持った時、指に食い込み今にも指が切れそうな不快感がなく、容易に手荷物１２を長時間持つことが出来る。
（２）ストラップ１６を金具１４に取付れば肩から掛けられるので両手が自由になり、躓いて転倒しても手で防御出来るので怪我の防止になり安全である。
（３）前記（１）、（２）項は全て、引掛フック４を水平回転１０、上下回転９させ、釣りフレーム１に設けられた、引掛フック収納穴１３へ収納し使用する。
（４）折りたたみ出来、コンパクトで樹脂又は軽合金やプレス成型をしているので非常に軽く、ハンドバッグ或いは、衣服のポケットに常備品として携帯でき、必要なときに取り出して使用できる。
（５）引掛フック４を引掛フック収納穴１３から、上下回転９、水平回転１０、して使用すれば、飲食店、休憩室、会議室等の机の下側、又その各トイレ等に於いて、手荷物１２を置く棚がなくても、テーブルの天板や側部があれば、それを挟み込み吊り下げることが出来、自分の手元に置けるため、盗難や、汚れ、損傷を防ぐことが出来る。
（６）引掛フック４を引掛フック収納穴１３より出して使用すれば、使用例、図３、図４、図５のようにどのような場所でも、どのような形状の出っ張り１１があれば手荷物１２をバランスよく吊り下げることが出来る。これは支持軸２と引掛フック４の位置によって手荷物１２の荷重を掛けるとやじろべーの原理でバランスが保て、手荷物１２が重ければ重い程安定する。
【図面の簡単な説明】
【０００７】
【図１】本発明の斜視図
【図２】本発明の折りたたんだ状態を示す斜視図
【図３】本発明の使用状態を示す斜視図
【図４】本発明の使用状態を示す斜視図
【図５】本発明の使用状態を示す斜視図
【図６】本発明の使用状態を示す斜視図
【図７】本発明の使用状態を示す斜視図
【符号の説明】
【０００８】  １  吊りフレーム
２  支持軸
３  滑り止め
４  引掛けフック
５  荷重受座
６  荷重受穴
７  案内溝
８  滑落防止段
９  上下回転
１０  水平回転
１１  出っ張り
１２  手荷物
１３  引掛けフック収納穴
１４  金具
１５  補助フック
１６  ストラップ
【図１】
2004245421.tif 000003
【図２】
2004245421.tif 000004
【図３】
2004245421.tif 000005
【図４】
2004245421.tif 000006
【図５】
2004245421.tif 000007
【図６】
2004245421.tif 000008
【図７】
2004245421.tif 000009